(57)【要約】  携帯電話機（１００）の制御部（１０１）は、アプリケーションプログラムを実行し、省電力モードに移行する際に実行中のアプリケーションプログラムのプログラム停止許可フラグを確認し、プログラム停止許可フラグの値に応じて、実行中のアプリケーションプログラムの実行継続又は一時停止を決定する。制御部（１０１）は、実行中のアプリケーションプログラムの一時停止条件が成立したときに、このアプリケーションプログラムのプログラム停止許可フラグを、プログラム実行の停止を許可する値に書き換える。
2007099731.tif 000002
【特許請求の範囲】
【請求項１】
アプリケーションプログラムを実行する制御手段と、
省電力モードに移行する際に実行中の前記アプリケーションプログラムのプログラム停止許可フラグを確認する確認手段と、
前記実行中のアプリケーションプログラムの一時停止条件が成立したときに、このアプリケーションプログラムの前記プログラム停止許可フラグを、プログラム実行の停止を許可する値に書き換える更新手段とを備え、
前記制御手段は、前記確認手段によって確認された前記プログラム停止許可フラグの値に応じて、前記実行中のアプリケーションプログラムの実行継続及び一時停止のうちいずれか一方を決定することを特徴とする携帯電話機。
【請求項２】
請求項１記載の携帯電話機において、
前記確認手段は、ユーザーからの所定の操作状態に応じて前記省電力モードに移行することを特徴とする携帯電話機。
【請求項３】
請求項２記載の携帯電話機において、
さらに、折り畳み筐体の開閉を検出する開閉検出手段を備え、
前記確認手段は、前記筐体が閉じられたことを前記開閉検出手段が検出したときに、前記省電力モードに移行することを特徴とする携帯電話機。
【請求項４】
請求項２記載の携帯電話機において、
前記確認手段は、一定時間以上ユーザーからの操作がないときに、前記省電力モードに移行することを特徴とする携帯電話機。
【請求項５】
携帯電話機の制御手段に所定の処理を実行させる携帯電話機のアプリケーションプログラムであって、
プログラムの実行を停止すべきか継続すべきかを前記制御手段に判定させるプログラム停止許可フラグを有し、
実行中に一時停止条件が成立したときに、前記プログラム停止許可フラグを、プログラム実行の停止を許可する値に更新させるステップを、携帯電話機に実行させることを特徴とする携帯電話機のアプリケーションプログラム。
【発明の詳細な説明】
【技術分野】
【０００１】
本発明は、携帯電話機に係り、特にアプリケーションプログラムの動作制御技術に関するものである。
【背景技術】
【０００２】
従来より、携帯電話機は電池駆動であるため、効率よく動作して、電力消費を最小限に抑えることが求められている。従来の携帯電話機では、筐体の開閉状態や一定時間以上の無操作状態などを検出して、省電力制御を実現してきた。例えば折り畳み式の携帯電話機では、筐体が閉じたことを開閉検出手段で検出することにより、画面の電源を切ることができる。【０００３】
ところで、最近では、携帯電話機の多機能化、高性能化が進み、携帯電話機に最初から搭載されているアプリケーションのみでなく、ネットワーク経由で様々なアプリケーションプログラムが提供され、利用可能となっている。しかし、提供されるアプリケーションプログラムが様々であるため、上記のような携帯電話機の状態だけで、アプリケーションプログラムを制御すると、無駄な消費電力やユーザーの使い勝手の悪さが発生する。【０００４】
例えば携帯電話機の筐体が閉じられていてもプログラムを停止しないといったように一律に設定すると、プログラムがユーザーの操作を待っている状態で筐体を閉じた場合に、画面の電源が切れるだけで、プログラムの実行は継続され、そのためＣＰＵが無駄に動作を継続してしまい、電力が消費されるという問題がある。【０００５】
一方で、携帯電話機の筐体が閉じられたときにプログラムを停止させるといったように一律に設定すると、ユーザーの操作後に自動的に計算を実行して結果を出力するプログラムの場合、途中で筐体が閉じられた時点で処理が停止してしまい、再度ユーザーが筐体を開いて結果を確認しようとしても、処理が終了するまで待つ必要が発生する。例えばロールプレイングゲームなどのように、ユーザーが操作した後に暫く自動的に進行するプログラムの場合、ユーザーが次に入力できるまで待つ必要があり、その場合にユーザが筐体を閉じて待つ場合もある。そういった場合、筐体が閉じられた時点でプログラムを停止させてしまうと、再度筐体を開いたときに、ユーザーは再び入力可能となるまで待つ必要がある。【０００６】
そこで、アプリケーションプログラムに当該プログラムが非常駐型であるか、常駐型であるか、継続常駐型であるかを示す設定データを持たせるようにした移動体通信端末が特開２００４−３４３６１１号公報に開示されている。このような移動体通信端末によれば、筐体が閉じられたときに実行中のアプリケーションプログラムが非常駐型や常駐型であれば、一時停止させ、実行中のアプリケーションプログラムが非常駐型であれば、実行を継続するようにしている。これにより、特許文献１に開示された移動体通信端末によれば、アプリケーションプログラムの種類に応じたプログラムの実行を行うことができる。
【発明の開示】
【発明が解決しようとする課題】
【０００７】
しかしながら、特許文献１に開示された移動体通信端末では、アプリケーションプログラムの開発者側で設定された設定データを書き換えることができないため、継続常駐型のアプリケーションプログラムを実行させる必要がない状況でも、ＣＰＵが無駄に動作を継続してしまい、電力が消費されるという問題点があった。すなわち、継続常駐型のアプリケーションプログラムであっても、プログラムを常時実行させておく必要はなく、一時停止させてよい状況は存在する。しかし、特許文献１に開示された移動体通信端末では、筐体が閉じられた状態で、継続常駐型のアプリケーションプログラムの実行をその実行の要否に拘わらずに継続するため、継続常駐型のアプリケーションプログラムを移動体通信端末にダウンロードすると、消費電力が増加してしまうという問題点があった。【０００８】
本発明は、上記課題を解決するためになされたもので、携帯電話機が省電力モードに移行した場合でも継続して実行することが好ましい継続常駐型のアプリケーションプログラムを状況に応じて適宜停止可能な携帯電話機およびアプリケーションプログラムを提供することを目的とする。
【課題を解決するための手段】
【０００９】
本発明の携帯電話機は、アプリケーションプログラムを実行する制御手段と、省電力モードに移行する際に実行中の前記アプリケーションプログラムのプログラム停止許可フラグを確認する確認手段と、前記実行中のアプリケーションプログラムの一時停止条件が成立したときに、このアプリケーションプログラムの前記プログラム停止許可フラグを、プログラム実行の停止を許可する値に書き換える更新手段とを備え、前記制御手段は、前記確認手段によって確認された前記プログラム停止許可フラグの値に応じて、前記実行中のアプリケーションプログラムの実行継続及び一時停止のうちいずれか一方を決定するようにしたものである。
【発明の効果】
【００１０】
以上説明したように、本発明によれば、アプリケーションプログラムにプログラム停止許可フラグを持たせることにより、アプリケーションプログラムの種類によって、アプリケーションプログラムの動作を最適に制御できるため、無駄な電力消費を抑えることができ、併せてユーザーの操作性を高めることができる。また、本発明では、携帯電話機が省電力モードに移行する場合でも、実行を継続することが好ましいプログラム処理の場合、そのままプログラムの実行を継続することができるので、ユーザーがプログラムの動作を不必要に待つ必要がなくなる。さらに、本発明では、プログラム停止許可フラグが継続を示す値に設定されているプログラムの実行中に、一時停止条件が成立した時点でプログラム停止許可フラグを更新し、アプリケーションプログラムを一時停止させるようにしたので、電力消費を抑えることができる。
【図面の簡単な説明】
【００１１】
【図１】図１は、本発明の第１実施例となる携帯電話機の構成を示すブロック図である。
【図２】図２は、本発明の第１実施例となる携帯電話機の制御部の構成例を示すブロック図である。
【図３】図３は、本発明の第１実施例におけるアプリケーションプログラムの構造を示す図である。
【図４】図４は、本発明の第１実施例においてアプリケーションプログラムの実行中に筐体が閉じられた場合の携帯電話機の動作を示すフローチャートである。
【図５】図５は、本発明の第１実施例におけるアプリケーションプログラムの起動と一時停止処理を示すシーケンス図である。
【図６】図６は、本発明の第２実施例においてアプリケーションプログラムの実行中に別のアプリケーションプログラムを起動する場合の携帯電話機の動作を示すフローチャートである。
【発明を実施するための最良の形態】
【００１２】
本発明では、まず携帯電話機にダウンロードするアプリケーションプログラムが、そのアプリケーションプログラムを携帯電話機上で実行するために必要な制御情報の一部としてプログラム停止許可フラグを有するようになっている。プログラム停止許可フラグとは、折り畳み式の携帯電話機の筐体が閉じられた場合に、当該アプリケーションプログラムの実行を停止するか否かを設定する状態判定フラグである。【００１３】
携帯電話機の筐体が閉じられると、携帯電話機の制御部は、筐体が閉じられた状態を検出して、表示部の電源を切るなどの省電力モード移行処理を行う。ここで、起動中のアプリケーションプログラムが存在する場合、制御部は、起動しているアプリケーションプログラムのプログラム停止許可フラグを確認する。プログラム停止許可フラグが「停止」の場合、制御部は、アプリケーションプログラムの状態を保存して、プログラムの一時停止処理を行う。一方、プログラム停止許可フラグが「継続」の場合、制御部は、プログラムの動作を継続する。このようにすることで、プログラム停止許可フラグに応じて、アプリケーションプログラムの実行停止／継続を決定することができる。【００１４】
また、携帯電話機の制御部は、アプリケーションプログラムの実行状態に応じてプログラム停止許可フラグを随時更新することができる。これにより、筐体の開閉如何に拘わらず基本的には実行を継続させることが望ましいアプリケーションプログラムの場合でも、実行の必要性が乏しい場合には、プログラム停止許可フラグを「停止」にして、プログラムを実行を一時停止させることができ、電力消費を抑えることができる。【００１５】
［第１実施例］
以下、本発明の実施例について図面を参照して説明する。図１に示すように、携帯電話機１００は、各部の制御を行う例えばＣＰＵからなる制御部１０１と、ＲＯＭ（Read Only Memory）１０２と、ＲＡＭ（Random Access Memory）１０３と、無線部１０４と、操作部１０５と、表示部１０６と、開閉検出部１０７とを有する。図１に示す携帯電話機１００の各構成は、２つに折り畳むことが可能な筐体（不図示）の内部に設けられる。【００１６】
制御部１０１は、ＲＯＭ１０２又はＲＡＭ１０３に格納されたプログラムに従って処理を実行する。制御部１０１は、図２に示すように、プログラムを実行する制御手段１１０と、省電力モードに移行する際に実行中のアプリケーションプログラムのプログラム停止許可フラグを確認する確認手段１１１と、実行中のアプリケーションプログラムの一時停止条件が成立したときに、このアプリケーションプログラムのプログラム停止許可フラグを、プログラム実行の停止を許可する値に書き換える更新手段１１２とを構成している。【００１７】
ＲＯＭ１０２には、通信や画面表示など携帯電話機１００が有する基本的な機能を実現させるための制御プログラムの他、ユーザーによって追加することのできるアプリケーションプログラムなどが格納される。また、各プログラムには、それぞれ制御情報が付加されている。ＲＯＭ１０２に記憶されたプログラムは、制御部１０１によりＲＡＭ１０３へ展開され、実行される。【００１８】
制御部１０１は、無線部１０４を通じて無線ネットワークに接続することができ、無線ネットワークを介して他の端末装置との音声通信、情報通信を実現する。
ユーザーは、操作部１０５を操作することで、携帯電話機１００の制御部１０１に対して各種の入力を行うことができる。【００１９】
表示部１０６は、音声通信の発信画面の表示、無線ネットワークから取得した情報の表示、アプリケーションプログラムの実行結果の表示など、携帯電話機１００が有する機能のうち表示に関連した機能を実現する。
開閉検出部１０７は、折り畳み式の携帯電話機１００の筐体の開閉状態を検出して、検出した開閉状態を示す開閉情報を制御部１０１に送信する。【００２０】
次に、本実施例の携帯電話機１００の動作を説明する。アプリケーションプログラムは、図３に示すとおり、プログラムの名称やバージョンなどの基本情報２０１と、携帯電話機１００の通信機能を使用するかどうかなど携帯電話機本体の制御に関わる制御情報２０２と、アプリケーション動作を実現するプログラム本体であるメインプログラム２０３とから構成される。【００２１】
本実施例のアプリケーションプログラムは、筐体を閉じるなどの操作が行われたときにプログラムの実行を停止すべきか継続すべきかを示す設定内容を、上記の制御情報２０２として記憶することが可能である。前述のとおり、本実施例では、このような制御情報２０２をプログラム停止許可フラグと呼ぶこととし、筐体を閉じるなどの操作が行われたときに実行を停止すべきプログラムについてはプログラム停止許可フラグとして「停止」を示す値を設定し、実行を継続すべきプログラムについてはプログラム停止許可フラグとして「継続」を示す値を設定する。なお、ＲＯＭ１０２に格納された時点でのプログラム停止許可フラグの設定はどちらでも構わない。プログラムを保存した際のプログラム停止許可フラグの設定値を初期値とする。【００２２】
次に、携帯電話機１００でプログラムを実行する場合の動作を説明する。ユーザーは、操作部１０５を操作して制御部１０１に指示を与える。制御部１０１は、ユーザーの指示に応じて、ＲＯＭ１０２に記憶されているアプリケーションプログラムを表示部１０６に表示させる。ユーザーは、操作部１０５を操作して、表示部１０６に表示された中から所望のアプリケーションプログラムを選択する。制御部１０１は、選択されたアプリケーションプログラムの基本情報２０１、制御情報２０２及びメインプログラム２０３をＲＡＭ１０３にロードし、アプリケーションプログラムを実行する。アプリケーションプログラムは、ＲＡＭ１０３に格納された制御情報２０２と、操作部１０５によるユーザーからの入力によって制御される。【００２３】
次に、アプリケーションプログラムの実行中に携帯電話機１００の筐体が閉じられた場合の動作を図４を用いて説明する。
携帯電話機１００の筐体が閉じられると、携帯電話機１００の開閉検出部１０７は、筐体が閉じられたことを示す情報を制御部１０１に送る（ステップＳ１−１においてＹＥＳ）。この情報を開閉検出部１０７から受けた制御部１０１は、ＲＡＭ１０３に格納されている実行中のアプリケーションプログラムの情報を確認する（ステップＳ１−２）。実行中のアプリケーションプログラムが無い場合は、アプリケーションプログラムの制御処理を終了する（ステップＳ１−６）。【００２４】
制御部１０１は、実行中のアプリケーションプログラムが存在する場合、ＲＡＭ１０３に格納されている当該アプリケーションプログラムのプログラム停止許可フラグを確認する（ステップＳ１−３）。プログラム停止許可フラグが「停止」を示す値の場合（ステップＳ１−３においてＹＥＳ）、制御部１０１は、当該アプリケーションプログラムの実行結果等の状態をＲＡＭ１０３に保存し（ステップＳ１−４）、このアプリケーションプログラムの一時停止処理を行う（ステップＳ１−５）。【００２５】
一方、プログラム停止許可フラグが「継続」を示す値の場合（ステップＳ１−３においてＮＯ）、制御部１０１は、当該アプリケーションプログラムの実行を継続する。そして、制御部１０１は、再度プログラム停止許可フラグを確認し（ステップＳ１−３）、プログラム停止許可フラグが「停止」を示す値となっていた場合は、上記と同様にアプリケーションプログラムの一時停止処理を行う（ステップＳ１−４，Ｓ１−５）。携帯電話機１００の筐体が閉じられた状態のままの場合、プログラム停止許可フラグが「停止」となるまで、ステップＳ１−３の判定を繰り返す。【００２６】
図５は、以上のアプリケーションプログラムの起動と一時停止処理を示すシーケンス図である。前述のとおり、プログラム停止許可フラグは、「継続」を示す値に初期設定されている（ステップＳ１００）。制御部１０１が、ユーザーによって選択されたアプリケーションプログラムをＲＡＭ１０３にロードして実行することにより（ステップＳ１０１）、アプリケーションプログラムが起動する（ステップＳ１０２）。【００２７】
携帯電話機１００の筐体が閉じられると（ステップＳ１０３、図４のステップＳ１−１）、制御部１０１は、実行中のアプリケーションプログラムのプログラム停止許可フラグを確認する（ステップＳ１０４，Ｓ１０５、図４のステップＳ１−３）。ここでは、プログラム停止許可フラグが「継続」を示す値となっているため、プログラム停止許可フラグの確認が繰り返される。【００２８】
次に、実行中のアプリケーションプログラムの一時停止条件が成立した場合（ステップＳ１０６）、アプリケーションプログラムから制御部１０１に対して一時停止条件の成立が通知される（ステップＳ１０７）。制御部１０１は、実行中のアプリケーションプログラムの一時停止条件が成立した場合、当該アプリケーションプログラムのプログラム停止許可フラグの値を「継続」から「停止」に更新する（ステップＳ１０８，Ｓ１０９）。一時停止条件が成立する場合としては、例えば予め設定されたポイントまで処理が終了した場合がある。【００２９】
プログラム停止許可フラグの更新後の確認では（ステップＳ１１０）、プログラム停止許可フラグが「停止」を示す値となっているため、制御部１０１は、当該アプリケーションプログラムの状態をＲＡＭ１０３に保存し（ステップＳ１１１、図４のステップＳ１−４）、このアプリケーションプログラムの一時停止処理を行う（ステップＳ１１２、図４のステップＳ１−５）。こうして、アプリケーションプログラムが停止する。【００３０】
以上のように、本実施例では、アプリケーションプログラムにプログラム停止許可フラグを持たせることにより、アプリケーションプログラムの種類によって、アプリケーションプログラムの動作を最適に制御できるため、無駄な電力消費を抑えることができ、併せてユーザーの操作性を高めることができる。また、本実施例では、携帯電話機１００の筐体が閉じられた場合でも、実行を継続することが好ましいプログラム処理の場合、そのままプログラムの実行を継続することができるので、ユーザーがプログラムの動作を不必要に待つ必要がない。さらに、本実施例では、プログラム停止許可フラグが「継続」に設定されているプログラムの実行中に、プログラムの実行を継続させる必要がなくなった時点で、一時停止条件が成立したとしてプログラム停止許可フラグを更新し、アプリケーションプログラムを一時停止させるようにしたので、電力消費を抑えることができる。【００３１】
なお、携帯電話機１００の筐体が開かれて、プログラム停止許可フラグが「停止」に設定されたアプリケーションプログラムが再びユーザーによって選択され実行された場合、制御部１０１は、このアプリケーションプログラムのプログラム停止許可フラグの値を「停止」から「継続」に更新して、プログラム停止許可フラグの値を元に戻す。【００３２】
［第２実施例］
第１実施例では、携帯電話機が閉じられた場合の制御方法を挙げたが、ユーザーからの操作が無い状態が一定時間以上経過して省電力モードへ移行する場合や、複数のアプリケーションを起動しているときに、第１実施例で説明した制御を行ってもよい。例えばアプリケーションプログラムの実行中に、別のアプリケーションプログラムを起動する場合の動作を図６を用いて説明する。本実施例においても、携帯電話機１００の構成は第１実施例と同様であるので、図１の符号を用いて説明する。携帯電話機１００で起動するアプリケーションプログラムや、携帯電話機１００が有するその他の機能は、制御部１０１においてタスクとして管理されるものとする。【００３３】
携帯電話機１００の制御部１０１は、操作部１０５から入力されるキー入力割り込み信号により、ユーザー操作が実施されたかどうかを判断する（ステップＳ２−１）。ユーザー操作がなされていれば、次に制御部１０１は、該当プログラムのタスク状態を確認し、メインタスクからサブタスクに切り替わったかどうかを判断する（ステップＳ２−２）。メインタスクからサブタスクに移行した場合、制御部１０１は、ＲＡＭ１０３に格納されている該当アプリケーションプログラムのプログラム停止許可フラグを確認し（ステップＳ２−３）、プログラム停止許可フラグが「停止」を示す値の場合、このアプリケーションプログラムの状態をＲＡＭ１０３に保存し（ステップＳ２−４）、アプリケーションプログラムの一時停止処理を行う（ステップＳ２−５）。【００３４】
なお、ステップＳ２−１でユーザー操作が実施されていない場合とは、例えばアプリケーションプログラムの起動中に着信を受けた場合などである。この場合、タスクの切り替えがユーザーの意思ではないため、メインタスクの裏でプログラム動作を継続することは望ましくない場合がある。そのため、図６のアプリケーション制御処理の適用外とする。
また、ステップＳ２−２でメインタスクのままである場合、プログラムを停止する必要がないため、アプリケーション制御処理を終了する。【００３５】
このようにすることで、本実施例では、携帯電話機１００上で多くのプログラムを動作させる場合に、画面を切り替えながら適切にプログラムの動作の継続、停止を行うことができる。プログラム停止許可フラグの更新については、第１実施例で説明したとおりである。
【産業上の利用可能性】
【００３６】
本発明は、携帯電話機に適用することができる。
【図１】
2007099731.tif 000003
【図２】
2007099731.tif 000004
【図３】
2007099731.tif 000005
【図４】
2007099731.tif 000006
【図５】
2007099731.tif 000007
【図６】
2007099731.tif 000008
【手続補正書】
【提出日】平成21年2月27日(2009.2.27)
【手続補正１】
【補正対象書類名】特許請求の範囲
【補正対象項目名】全文
【補正方法】変更
【補正の内容】
【特許請求の範囲】
【請求項１】
アプリケーションプログラムを実行する制御手段と、
前記アプリケーションプログラムを格納する記憶手段とを備える携帯電話機において、
前記制御手段は、
前記携帯電話機の筐体が閉じられた場合に、実行中の前記アプリケーションプログラムの停止条件が成立する場合はこのアプリケーションプログラムを停止し、実行中の前記アプリケーションプログラムの停止条件が成立しない場合はこのアプリケーションプログラムを継続することを特徴とする携帯電話機。
【請求項２】
アプリケーションプログラムを実行する制御手段と、
前記アプリケーションプログラムを格納する記憶手段とを備える携帯電話機において、 前記制御手段は、
前記携帯電話機の操作がない状態で所定の時間が経過した場合に、実行中の前記アプリケーションプログラムの停止条件が成立する場合はこのアプリケーションプログラムを停止し、実行中の前記アプリケーションプログラムの停止条件が成立しない場合は、このアプリケーションプログラムを継続することを特徴とする携帯電話機。
【請求項３】
アプリケーションプログラムを実行する制御手段と、
前記アプリケーションプログラムを格納する記憶手段とを備える携帯電話機において、 前記制御手段は、
前記アプリケーションプログラムの実行中に別にアプリケーションプログラムを起動する場合、前記実行中のアプリケーションプログラムの停止条件が成立する場合はこの実行中のアプリケーションプログラムを停止し、前記実行中のアプリケーションプログラムの停止条件が成立しない場合はこの実行中のアプリケーションプログラムを継続することを特徴とする携帯電話機。
【請求項４】
請求項１乃至３のいずれかに記載の携帯電話機において、
前記停止条件が成立する場合とは、前記携帯電話機が予め設定された所定の処理を終了した場合であることを特徴とする携帯電話機。
【請求項５】
アプリケーションプログラムを実行する制御手順と、
前記アプリケーションプログラムを格納する記憶手順とを備える携帯電話機の制御方法において、
前記制御手順は、
前記携帯電話機の筐体が閉じられた場合に、実行中の前記アプリケーションプログラムの停止条件が成立する場合はこのアプリケーションプログラムを停止し、実行中の前記アプリケーションプログラムの停止条件が成立しない場合はこのアプリケーションプログラムを継続することを特徴とする携帯電話機の制御方法。
【請求項６】
アプリケーションプログラムを実行する制御手順と、
前記アプリケーションプログラムを格納する記憶手順とを備える携帯電話機の制御方法において、
前記制御手順は、
前記携帯電話機における操作がない状態で所定の時間が経過した場合に、実行中の前記アプリケーションプログラムの停止条件が成立する場合はこのアプリケーションプログラムを停止し、実行中の前記アプリケーションプログラムの停止条件が成立しない場合は、このアプリケーションプログラムを継続することを特徴とする携帯電話機の制御方法。
【請求項７】
アプリケーションプログラムを実行する制御手順と、
前記アプリケーションプログラムを格納する記憶手順とを備える携帯電話機の制御方法において、
前記制御手順は、
前記アプリケーションプログラムの実行中に別にアプリケーションプログラムを起動する場合、前記実行中のアプリケーションプログラムの停止条件が成立する場合はこの実行中のアプリケーションプログラムを停止し、前記実行中のアプリケーションプログラムの停止条件が成立しない場合はこの実行中のアプリケーションプログラムを継続することを特徴とする携帯電話機の制御方法。
【国際調査報告】
2007099731.tif 000009
2007099731.tif 000010